(57)【要約】【課題】格納部の扉体格納空間に堆積した底質をダイバーが潜って排出する必要がないようにする。【解決手段】格納部２に形成された扉体格納空間２ａに格納されている倒伏状態の扉体１を起立させて港口を塞ぐ起伏ゲート式防波堤である。一端が海域５に開口し、他端が床面２ａａと前記倒伏状態の扉体１の反海域側の面１ｂとの間の扉体格納空間２ａ内に開口した取水配管３と、一端が取水配管３の他端側開口３ｂと対向するように扉体格納空間２ａ内に開口し、他端が海域５に開口した排水配管４を備える。取水配管３には、海域５側から扉体格納空間２ａに海水が流入する方向のみ許容する逆止弁６を、排水配管４には、扉体格納空間２ａから海域側に海水が流出する方向のみ許容する逆止弁７を設ける。【効果】ダイバーが潜らなくても、風波による水面変動に伴って扉体格納空間に堆積した底質を排出することができる。【選択図】図１
2014173248.tif 000002
【特許請求の範囲】
【請求項１】
格納部に形成された扉体格納空間に格納されている倒伏状態の扉体を起立させて港口を塞ぐ起伏ゲート式防波堤であって、
一端が海域に開口し、他端が前記扉体格納空間の床面と前記倒伏状態にある扉体の反海域側の面との間の扉体格納空間内に開口した取水配管と、
一端が前記取水配管の他端側開口と対向するように前記扉体格納空間内に開口し、他端が海域に開口した排水配管と、
を備え、
前記取水配管には、海域側から扉体格納空間に海水が流入する方向のみ許容する逆止弁を、前記排水配管には、扉体格納空間から海域側に海水が流出する方向のみ許容する逆止弁を設けたことを特徴とする起伏ゲート式防波堤。
【請求項２】
前記取水配管の一端側開口を、格納部を設けた海底よりも高い位置に設けると共に、前記一端側開口を側方或いは海底方向に向けて設けたことを特徴とする請求項１に記載の起伏ゲート式防波堤。
【請求項３】
倒伏状態にある扉体の反海域側の面と、前記取水配管の他端側開口との間に、海域から前記扉体格納空間内に落下してくる底質は通過する一方、前記扉体格納空間の床面に堆積した底質が倒伏状態にある扉体側への移動は抑制する半透過部材を設けたことを特徴とする請求項１又は２に記載の起伏ゲート式防波堤。
【発明の詳細な説明】
【技術分野】
【０００１】
本発明は、高潮や津波対策として港口に設置される起伏ゲート式防波堤に関するものである。
【背景技術】
【０００２】
起伏ゲート式防波堤は、高潮や津波の発生が予測された際に、倒伏状態で格納されている扉体を起立させて港口を塞ぎ、高潮や津波が港内に浸入するのを防ぐものである（例えば特許文献１，２参照。）。
【０００３】
このような起伏ゲート式防波堤の場合、扉体を格納する格納部の扉体格納空間は上面が開口しているので、扉体格納空間に底質が堆積することは避けられない。この堆積した底質が倒伏状態の扉体を覆うと、扉体の起立に支障が生じる場合が起こり得る。
【０００４】
そこで、従来は、ダイバーが格納部の扉体格納空間に定期的に潜り、堆積した底質を、水中ポンプを用いて扉体格納空間から排出していた。
【０００５】
しかしながら、ダイバーが定期的に潜って扉体格納空間に堆積した底質を排出する作業は、ダイバーに大きな負担を強いることになる。また、気象条件によっては予定していた時に排出作業ができなくなる場合もあるが、このような場合、次回の排出時には予定していた堆積量よりも多くの底質を排出することになって、ダイバーの負担がより大きくなる。
【先行技術文献】
【特許文献】
【０００６】
【特許文献１】特開２００７−２１１４５７号公報
【特許文献２】特開２０１０−１３３０９５号公報
【発明の概要】
【発明が解決しようとする課題】
【０００７】
本発明が解決しようとする問題点は、ダイバーが定期的に潜って格納部の扉体格納空間に堆積した底質を排出する場合、ダイバーに大きな負担を強いるという点である。また、気象条件によって予定していた時に作業ができなくなった場合は、次回の排出時には予定していた堆積量よりも多くの底質を排出することになるので、ダイバーの負担がより大きくなるという点である。
【課題を解決するための手段】
【０００８】
本発明は、上記問題を解決するために、格納部の扉体格納空間に堆積した底質をダイバーが潜って排出する必要がないようにすることを目的としてなされたものである。
【０００９】
本発明は、
格納部に形成された扉体格納空間に格納されている倒伏状態の扉体を起立させて港口を塞ぐ起伏ゲート式防波堤であって、
一端が海域に開口し、他端が前記扉体格納空間の床面と前記倒伏状態にある扉体の反海域側の面との間の扉体格納空間内に開口した取水配管と、
一端が前記取水配管の他端側開口と対向するように前記扉体格納空間内に開口し、他端が海域に開口した排水配管と、
を備え、
前記取水配管には、海域側から扉体格納空間に海水が流入する方向のみ許容する逆止弁を、前記排水配管には、扉体格納空間から海域側に海水が流出する方向のみ許容する逆止弁を設けたことを最も主要な特徴としている。
【００１０】
上記の本発明では、風波により水面が変動した場合に、取水配管の一端側開口位置の水圧が、排水配管の他端側開口位置の水圧よりも高いときは、取水配管から扉体格納空間を経て排水配管を通って海域に排出するように海水が流れ、扉体格納空間に堆積した底質を排出する。反対に、取水配管の一端側開口位置の水圧が、排水配管の他端側開口位置の水圧よりも低いときは、逆止弁の作用によって前記海水の流れは発生しない。
【００１１】
本発明において、取水配管の一端側開口を、格納部を設けた海底よりも高い位置に設けた場合は、前記海水の流入時に取水配管の一端側開口から周囲の砂礫が流入し難くなる。また、取水配管の一端側開口を側方或いは海底方向に向けて設けた場合は、取水配管の一端側開口から海域中の底質が入り込み難くなる。
【００１２】
また、本発明において、倒伏状態にある扉体の反海域側の面と、取水配管の他端側開口との間に、海域から格納部の上面開口を通って扉体格納空間内に落下してくる海域中の底質は通過する一方、扉体格納空間の床面に堆積した底質が倒伏状態の扉体側に移動することは抑制する半透過部材を設けた場合は、底質の前記排出がより良好に行える。
【発明の効果】
【００１３】
本発明では、海域と扉体格納空間を循環する経路を形成する取水配管及び排水配管に逆止弁を設けることによって、ダイバーが潜らなくても、風波による水面変動に伴って扉体格納空間に堆積した底質を排出することができる。
【図面の簡単な説明】
【００１４】
【図１】本発明の起伏ゲート式防波堤の第１の例を示した概略構成図である。
【図２】（ａ）（ｂ）は本発明の起伏ゲート式防波堤を構成する取水配管の一端側開口の態様を示した図である。
【図３】（ａ）（ｂ）は本発明の起伏ゲート式防波堤を構成する半透過部材の一例を示した図である。
【図４】本発明の起伏ゲート式防波堤の第２の例を示した概略構成図である。
【発明を実施するための形態】
【００１５】
本発明は、格納部の扉体格納空間に堆積した底質をダイバーが潜って排出する必要がないようにするという目的を、海域と扉体格納空間を循環する経路を形成する取水配管及び排出配管に逆止弁を設けることで実現した。
【実施例】
【００１６】
以下、本発明を実施するための形態を、図１〜図４を用いて詳細に説明する。
図１は本発明の起伏ゲート式防波堤の第１の例を示した概略構成図である。
【００１７】
図１において、１は起伏ゲート式防波堤を構成する扉体であり、平時は格納部２の扉体格納空間２ａに倒伏した状態で格納されている。そして、高潮や津波の発生が予測された際には、先端側の空気室に給気して基端側の回転軸１ａを支点として先端側を起立させ、港口を塞ぐ。
【００１８】
本発明は、上記起伏ゲート式防波堤において、格納部２を設置した海域５から格納部２の扉体格納空間２ａ内に海水を流入する取水配管３と、この取水配管３を介して流入した海水を扉体格納空間２ａから排出する排水配管４を、扉体１の幅方向に所定の間隔を存して複数設置した構成である。
【００１９】
前記取水配管３は、一端を海域５に開口させる一方、他端は、扉体格納空間２ａ内において、その床面２ａａと倒伏状態の扉体１の反海域側の面１ｂとの間に開口させ、その途中に、一端側開口３ａから他端側開口３ｂに向かう方向にのみ海水の移動を許容する逆止弁６を設けている。
【００２０】
前記取水配管３の一端側開口３ａは、海水の流入時に、この一端側開口３ａから周囲の砂礫が一緒に流れ込むのを抑制するためには、図２に示すように、格納部２を設けた海底５ａよりも高い位置に設けることが望ましい。
【００２１】
また、取水配管３の一端側開口３ａから海域中の底質が入り込むのを抑制するためには、前記一端側開口３ａを、図２（ａ）に示すように側方に向けて設けるか、図２（ｂ）に示すように海底５ａに向けて設けることが望ましい。
【００２２】
一方、前記排水配管４は、前記取水配管３の他端側開口３ｂと対向するように、一端を扉体格納空間２ａ内に開口する一方、他端は海域５に開口させ、その途中に、一端側開口４ａから他端側開口４ｂに向かう方向にのみ海水の移動を許容する逆止弁７を設けている。
【００２３】
８は、海域５から扉体格納空間２ａの内部に落下してくる底質９を通過させるが、扉体格納空間２ａの床面２ａａに堆積した底質９が倒伏状態の扉体１側に移動することを抑制する半透過部材であり、倒伏状態の扉体１の反海域側の面１ｂと、前記取水配管３の他端側開口３ｂ（前記排水配管４の一端側開口４ａ）との間に配置されている。
【００２４】
この半透過部材８は、上記作用を奏することができるものであれば、その構成は問わない。例えば図３（ａ）では山形鋼８ａを複数個、図３（ｂ）では横断面が三角形状の各材８ｂを複数個、それぞれの山部を上方向に向け、それぞれの山裾間が適宜の間隔ｄとなるように配置したものを示している。
【００２５】
上記本発明では、風波により水面が変動した場合に、海面から取水配管３の一端側開口３ａまでの深さＬ1が、排水配管４の他端側開口４ｂまでの深さＬ2よりも大きいときは、両者の水圧差により、取水配管３から扉体格納空間２ａ内に海水が流れ込む。
【００２６】
扉体格納空間２ａ内に流れ込んだ海水は、扉体格納空間２ａの床面２ａａ上に堆積した底質９を押し流す。押し流された底質９は、半透過部材８の作用によって排水配管４の一端側開口４ａに流れ込んで他端側開口４ｂから海域５に排出される。
【００２７】
すなわち、本発明では、ダイバーが潜らなくても、風波による水面変動に伴って扉体格納空間２ａに堆積した底質９を排出することができる。なお、海面から取水配管３の一端側開口３ａまでの深さＬ1が、排水配管４の他端側開口４ｂまでの深さＬ2よりも小さいときは、逆止弁７の作用によって排水配管４を介して扉体格納空間２ａ内に海水が流れ込むことはない。
【００２８】
本発明は、前記の例に限るものではなく、各請求項に記載の技術的思想の範疇であれば、適宜実施の形態を変更しても良いことは言うまでもない。
【００２９】
例えば、取水配管３や排水配管４の途中に設ける逆止弁６，７の設置位置は特に限定されるものではないが、メンテナンスの容易性を考慮すれば、図４に示すように、扉体１の格納部２からダイバーがアクセスできる位置に設置することが望ましい。
【００３０】
また、上記実施例では、取水配管３の一端側開口３ａを、格納部２を設けた海底５ａよりも高い位置に、かつ、側方或いは海底５ａに向けて設けているが、このような配置形態とすることは必須の要件ではない。
【００３１】
同様に、上記実施例では、倒伏状態の扉体１の反海域側の面１ｂと、前記取水配管３の他端側開口３ｂ（排水配管４の一端側開口４ａ）との間に半透過部材８を配置しているが、この半透過部材８も必須の構成要素ではない。
【符号の説明】
【００３２】
１    扉体
１ａ    回転軸
１ｂ    反海域側の面
２    格納部
２ａ    扉体格納空間
２ａａ    床面
３    取水配管
３ａ    一端側開口
３ｂ    他端側開口
４    排水配管
４ａ    一端側開口
４ｂ    他端側開口
５    海域
５ａ    海底
６，７    逆止弁
８    半透過部材
９    底質
【図１】
2014173248.tif 000003
【図２】
2014173248.tif 000004
【図３】
2014173248.tif 000005
【図４】
2014173248.tif 000006